(57)【要約】【課題】間接活線工具によって容易に把持することが可能な鳥類忌避剤注出用ガンであって、間接活線工具を操作して鳥類忌避剤を注出する動作を容易に行うことが可能な鳥類忌避剤注出用ガンを提供すること。【解決手段】鳥類忌避剤注出用ガン１０は、カートリッジＣを装着・保持するカートリッジホルダー２１と、カートリッジホルダー２１の一端に突設されたガン把持部４１を有するガン状の枠体部３１と、ガン把持部４１に軸支ピン５３を介して回動可能に取付けられるトリガー５１と、枠体部３１にカートリッジホルダー２１の軸心に沿って進退自在に支持され、トリガー５１が回動されたときに進行してカートリッジＣの押圧板Ｃ１を押圧する構造を有する押圧棒６１と、を備え、ガン把持部４１は固定部２０５の先端２０５ａと嵌合可能な固定部開口部４５を有し、トリガー５１は可動部２０３の先端２０３ａと嵌合可能な可動部開口部５５を有する。【選択図】図１
2008148390.tif 000002
【特許請求の範囲】
【請求項１】
一端に固定部及び回動可能な可動部を有する略Ｃ字状の工具把持部を備えた棒状の間接活線工具が操作されて、鳥類忌避剤が封入された円筒状のカートリッジの底部を押圧することにより、前記カートリッジの先端部から前記鳥類忌避剤を注出する間接活線工法用の鳥類忌避剤注出用ガンであって、
前記カートリッジを装着・保持するカートリッジホルダーと、
前記カートリッジホルダーの一端に突設されたガン把持部を有するガン状の枠体部と、
前記ガン把持部に軸支ピンを介して回動可能に取付けられるトリガーと、
前記枠体部に前記カートリッジホルダーの軸心に沿って進退自在に支持され、前記トリガーが回動されたときに進行して前記カートリッジの底部を押圧する構造を有する押圧棒と、を備え、
前記ガン把持部は、前記固定部の先端と嵌合可能な固定部開口部を有し、
前記トリガーは、前記可動部の先端と嵌合可能な可動部開口部を有する鳥類忌避剤注出用ガン。
【請求項２】
さらに、前記カートリッジホルダーに接続し、前記押圧棒を外部から接触不可能なように覆う略円環状の絶縁性カバーを備えた請求項１記載の鳥類忌避剤注出用ガン。
【請求項３】
さらに、前記押圧棒と接続する紐状部材を備え、前記紐状部材は、前記絶縁性カバーの長手方向の長さ以上の長さを有する請求項２記載の鳥類忌避剤注出用ガン。
【発明の詳細な説明】
【技術分野】
【０００１】
本発明は、間接活線工具を使用して、鳥類忌避剤が封入された円筒状のカートリッジの先端部から鳥類忌避剤を注出する間接活線工法用の鳥類忌避剤注出用ガンに関する。
【背景技術】
【０００２】
電柱の腕金や送電用の鉄塔等において、カラス、鳩等の鳥類、特に、カラスによる鳥害事故が多く発生している。例えば、カラスはハンガーのような金属材料を利用して電柱の腕金や送電用の鉄塔等に巣を作ることがある。ハンガーのような金属材料が電線や送電線に触れると、広範囲な停電を引き起こす可能性がある。
【０００３】
従来、この鳥害を防止するため、特殊な形状の治具を電柱や鉄塔に取り付けるものが提案されている。しかし、これらは構造が固定であるため、カラスの慣れによって効果が持続せず、長期間に渡って鳥害を防止するには適していない。
【０００４】
そこで、鳥類が物理的又は化学的に忌避する成分が含有され鳥類忌避剤が徐々に使用されてきている（特許文献１参照）。この鳥類忌避剤を鳥類の営巣防止に電柱の腕金や送電用の鉄塔等に塗布することにより、長時間に渡って鳥害を防止できる。
【０００５】
ところで、鳥類忌避剤を効率的かつ容易に注出させるための補助具としては、例えば、図３に示すように、鳥類忌避剤が封入されたカートリッジＣをカートリッジホルダー３１１に装着し、カートリッジＣ内に設けられた押圧板Ｃ１を後方から押圧することによって、カートリッジＣの先端に設けられたノズルＣ２から鳥類忌避剤を注出させるコーキングガン３０１が種々提案されている（特許文献２参照）。
【０００６】
コーキングガン３０１を用いて鳥類忌避剤を電柱の腕金や送電用の鉄塔等に塗布する作業を行う場合、作業現場周辺の家庭や工場等の影響を考慮して、通電をしている状態、いわゆる、活線状態で行うようになっている。この活線状態で行う工事の方法を活線工法といい、作業者が直接電線部分に触れながら作業を行う直線活線工法と、いわゆる、ヤットコのような間接活線工具（補助機材）を用いて作業者が作業を行う間接活線工法の２種類の方法が知られている。
【０００７】
ここで、直接活線工法の場合、作業者は、電気用ゴム手袋を着用し、コーキングガン３０１を直接把持して作業を行うため、コーキングガン３０１の金属部分が電線に接触することによって短絡を起こす場合がある。したがって、コーキングガン３０１を用いて鳥類忌避剤を電柱の腕金や送電用の鉄塔等に塗布する作業は、短絡を起こす可能性が低い間接活線工法で行われることが好ましい。
【特許文献１】特開２００５−４７８６５号公報
【特許文献１】特開２００２−１５９９００号公報
【発明の開示】
【発明が解決しようとする課題】
【０００８】
しかしながら、把持部が略Ｃ字状であるヤットコのような間接活線工具ではコーキングガン３０１を把持することは困難であり、ましてや、間接活線工具によってコーキングガン３０１を操作して鳥類忌避剤を電柱の腕金や送電用の鉄塔等に注出させることは、熟練者であっても困難であった。
【０００９】
本発明は、上述の課題に鑑みてなされたものであり、間接活線工具によって容易に把持することが可能な鳥類忌避剤注出用ガンであって、間接活線工具を操作して鳥類忌避剤を注出する動作を容易に行うことが可能な鳥類忌避剤注出用ガンを提供することを目的とする。
【課題を解決するための手段】
【００１０】
（１）  一端に固定部及び回動可能な可動部を有する略Ｃ字状の工具把持部を備えた棒状の間接活線工具が操作されて、鳥類忌避剤が封入された円筒状のカートリッジの底部を押圧することにより、前記カートリッジの先端部から前記鳥類忌避剤を注出する間接活線工法用の鳥類忌避剤注出用ガンであって、前記カートリッジを装着・保持するカートリッジホルダーと、前記カートリッジホルダーの一端に突設されたガン把持部を有するガン状の枠体部と、前記ガン把持部に軸支ピンを介して回動可能に取付けられるトリガーと、前記枠体部に前記カートリッジホルダーの軸心に沿って進退自在に支持され、前記トリガーが回動されたときに進行して前記カートリッジの底部を押圧する構造を有する押圧棒と、を備え、前記ガン把持部は、前記固定部の先端と嵌合可能な固定部開口部を有し、前記トリガーは、前記可動部の先端と嵌合可能な可動部開口部を有する鳥類忌避剤注出用ガン。
【００１１】
（１）の発明に係る鳥類忌避剤注出用ガンは、一端に固定部及び回動可能な可動部を有する略Ｃ字状の工具把持部を備えた棒状の間接活線工具によって操作されて、カートリッジの先端部から鳥類忌避剤を注出することができる。すなわち、（１）の発明に係る鳥類忌避剤注出用ガンは、カートリッジホルダーの一端に突設されたガン把持部を有するガン状の枠体部と、ガン把持部に軸支ピンを介して回動可能に取付けられるトリガーと、枠体部にカートリッジホルダーの軸心に沿って進退自在に支持される押圧棒と、備え、この押圧棒が、トリガーが回動されたときに進行してカートリッジの底部を押圧するために、カートリッジの先端部から鳥類忌避剤を注出することが可能である。
【００１２】
ここで、ガン把持部は、固定部の先端と嵌合可能な固定部開口部を有し、トリガーは、可動部の先端と嵌合可能な可動部開口部を有するので、（１）の発明に係る鳥類忌避剤注出用ガンは、固定部及び可動部を有する略Ｃ字状の工具把持部を備えた棒状の間接活線工具によって、容易に把持することが可能である。また、（１）の発明に係る鳥類忌避剤注出用ガンは、可動部を回動することによってトリガーが回動されて、押圧棒が進行してカートリッジの底部が押圧されるので、鳥類忌避剤を注出することを容易に行うことが可能である。すなわち、間接活線工具を操作して鳥類忌避剤を注出する動作を容易に行うことが可能である。
【００１３】
（２）  さらに、前記カートリッジホルダーに接続し、前記押圧棒を外部から接触不可能なように覆う略円環状の絶縁性カバーを備えた（１）記載の鳥類忌避剤注出用ガン。
【００１４】
押圧棒はカートリッジの底部を押圧しても撓むことなく丈夫な金属製であることが望ましいが、金属製の押圧棒が電線に接触することによって短絡を起こす場合がある。（２）の発明によれば、押圧棒を外部から接触不可能なように覆う略円環状の絶縁性カバーを備えたので、金属製の押圧棒であっても短絡を防止することが可能である。
【００１５】
（３）  さらに、前記押圧棒と接続する紐状部材を備え、前記紐状部材は、前記絶縁性カバーの長手方向の長さ以上の長さを有する（２）記載の鳥類忌避剤注出用ガン。
【００１６】
絶縁性カバーは、押圧棒を外部から接触不可能なように覆うので、進行した押圧棒を作業者が直接触って後退させることはできない。
【００１７】
（３）の発明によれば、絶縁性カバーの長手方向の長さ以上の長さを有する紐状部材を引っ張ることにより、進行した押圧棒を後退させることができる。
【発明の効果】
【００１８】
本発明によれば、ガン把持部は、固定部の先端と嵌合可能な固定部開口部を有し、トリガーは、可動部の先端と嵌合可能な可動部開口部を有するので、本発明に係る鳥類忌避剤注出用ガンは、固定部及び可動部を有する略Ｃ字状の工具把持部を備えた棒状の間接活線工具によって、容易に把持することが可能である。また、本発明によれば、可動部を回動することによってトリガーが回動されて、押圧棒が進行してカートリッジの底部が押圧されるので、鳥類忌避剤を注出することを容易に行うことが可能である。すなわち、間接活線工具を操作して鳥類忌避剤を注出する動作を容易に行うことが可能である。
【発明を実施するための最良の形態】
【００１９】
以下、本発明の一例を示す実施形態について、図面に基づいて説明する。
【００２０】
図１は、本発明における鳥類忌避剤注出用ガンを示す正面図である。図２は、本発明における鳥類忌避剤注出用ガンを使用して電柱の腕金に薬剤を注出する方法を説明する図である。
【００２１】
［鳥類忌避剤注出用ガン］
図１に示すように、鳥類忌避剤注出用ガン１０は、一端に固定部２０５及び回動可能な可動部２０３を有する工具把持部２０１を備えた間接活線工具の一例であるヤットコ２００が操作されて、鳥類忌避剤が封入された円筒状のカートリッジＣの底部である押圧板Ｃ１を押圧することにより、カートリッジＣの先端部であるノズルＣ２から鳥類忌避剤を注出する間接活線工法用の鳥類忌避剤注出用ガンである。
【００２２】
鳥類忌避剤注出用ガン１０は、カートリッジホルダー２１と、枠体部３１と、トリガー５１と、押圧棒６１と、を備える。また、鳥類忌避剤注出用ガン１０は、枠体部３１内にバネ７１ａによって付勢される押圧棒送り板７１と、この押圧棒送り板７１の背面側にバネ８１ａによって付勢されるストッパー８１と、絶縁性カバー９１と、紐状部材１０１と、を備える。
【００２３】
カートリッジホルダー２１は、カートリッジＣを装着・保持する部材である。このカートリッジホルダー２１は、端面が略半円弧状をなし、カートリッジＣをその軸心に沿い装着して保持することが可能である。
【００２４】
枠体部３１は、ガン状であり、カートリッジホルダー２１の後端に接続する。枠体部３１は、カートリッジホルダー２１の一端に突設されたガン把持部４１を有する。
【００２５】
ガン把持部４１は、固定部２０５の先端２０５ａと嵌合可能な固定部開口部４５をガン把持部４１の一端に有する。ガン把持部４１は、固定部開口部４５にヤットコ２００の工具把持部２０１のうち、固定部２０５の先端２０５ａが嵌合した際に、先端２０５ａの表面に形成された凹部（図示せず）に着脱自在な凸部（図示せず）と連結する継ぎ足しアーム４５ａを有する。この継ぎ足しアーム４５ａには、内側に付勢するバネ（図示せず）が接続されており、固定部２０５の先端２０５ａの表面に形成された凹部に固定部２０５の先端２０５ａの凸部を嵌挿すると、継ぎ足しアーム４５ａを摘み上げない限り、固定部２０５の先端２０５ａの表面に形成された凹部から固定部２０５の先端２０５ａの凸部が自然に脱離することはない。
【００２６】
トリガー５１は、ガン把持部４１に植設した軸支ピン５３を介して回動可能に取付けられる。トリガー５１は、可動部２０３の先端２０３ａと嵌合可能な可動部開口部５５をトリガー５１の一端に有する。トリガー５１は、可動部開口部５５にヤットコ２００の工具把持部２０１のうち、可動部２０３の先端２０３ａが嵌合した際に、先端２０３ａの表面に形成された凹部（図示せず）に着脱自在な凸部（図示せず）と連結する継ぎ足しアーム５５ａを有する。この継ぎ足しアーム５５ａは上記継ぎ足しアーム４５ａと同様の構造を有しており、先端２０３ａの表面に形成された凹部に先端２０３ａの凸部を嵌挿すると、継ぎ足しアーム５５ａを摘み上げない限り、先端２０３ａの表面に形成された凹部から先端２０３ａの凸部が自然に脱離することはない。
【００２７】
トリガー５１は、トリガー５１に植設したピン５９と連結する突起６２を有する。この突起６２は、押圧棒送り板７１と常時接触しており、トリガー５１の回動とともに進行し、ピン５９の押圧棒送り板７１を前方に押圧させることが可能な構造となっている。
【００２８】
なお、本実施形態において、ガン把持部４１は、固定部開口部４５をガン把持部４１の一端に有し、トリガー５１は、可動部開口部５５をトリガー５１の一端に有するが、固定部開口部４５及び可動部開口部５５が設けられる位置はこれらに限定されない。すなわち、固定部開口部４５と固定部２０５の先端２０５ａとが着脱自在に嵌合することが可能であり、可動部開口部５５と可動部２０３の先端２０３ａとが着脱自在に嵌合することが可能であり、可動部２０３が回動すると同時にトリガー５１が回動することが可能であれば、固定部開口部４５及び可動部開口部５５が設けられる位置は特に限定されない。
【００２９】
押圧棒６１は、枠体部３１にカートリッジホルダー２１の軸心に沿って進退自在に支持されている。押圧棒６１は、トリガー５１が回動されたときに前進してカートリッジＣの底部である押圧板Ｃ１を押圧する構造を有する。
【００３０】
押圧棒送り板７１は、バネ７１ａによって常時後方に付勢されて、略垂直状態に保持されている。押圧棒送り板７１は、カートリッジホルダー２１の後端とガン把持部４１との間において、嵌合孔７１ｂを押圧棒６１に遊嵌することにより、トリガー５１が回動されないときは、押圧棒６１と接触しない状態になっている。
【００３１】
ストッパー８１は、嵌合孔８１ｂを枠体部３１の後方において押圧棒６１に遊嵌している。ストッパー８１は、バネ８１ａによって常時後方に付勢されて、押圧棒６１に対して斜交し係合状態になっている。したがって、押圧棒６１は、この状態では後方に引いても後退しないが、前方への外力を加えることにより前方に摺動すること、すなわち、前進させることはできる。
【００３２】
絶縁性カバー９１は、略円環状であり、カートリッジホルダー２１に接続しており、押圧棒６１を外部から接触不可能なように全面的に覆う。なお、絶縁性カバー９１は、ストッパー８１を指で押えるために指を進入させる開閉自在な開口部（図示せず）を有している。
【００３３】
紐状部材１０１は、押圧棒６１と接続し、絶縁性カバー９１の長手方向の長さ以上の長さを有する。
【００３４】
ここで、押圧棒６１に対し斜交し係合状態になっているストッパー８１を指で押し、バネ８１ａに抗して垂直にした状態にすると、押圧棒６１との係合状態が解消されて、押圧棒６１を後退させることが可能であるが、絶縁性カバー９１によって押圧棒６１が覆われているので、押圧棒６１を後退させることができない。そこで、押圧棒６１と接続する紐状部材１０１は絶縁性カバー９１の長手方向の長さ以上の長さを有するので、絶縁性カバー９１の外部に出された紐状部材１０１を後方に引っ張ることにより、押圧棒６１を後退させることが可能である。
【００３５】
［鳥類忌避剤注出用ガンの使用方法］
次に、図１及び図２を用いて、鳥類忌避剤注出用ガン１０の使用方法を説明する。
【００３６】
図１及び図２に示すように、作業者は、ヤットコ２００の可動部２０３の先端２０３ａを可動部開口部５５に嵌合させて、固定部２０５の先端２０５ａを固定部開口部４５に嵌合させる。
【００３７】
次に、作業者は、電柱４０１の近傍に高所作業車４００を設置させる。作業者は、高所作業車４００の作業床に乗り込み、高所作業車４００の昇降装置を作動させ、高所作業車４００の作業床を上昇させ、電柱４０１の腕金４０３の近傍に移動する。
【００３８】
次に、作業者は、ノズルＣ２が目標の電柱４０１の腕金４０３に位置するように、ヤットコ２００を移動させる。
【００３９】
次に、作業者は、ヤットコ２００を操作して、ヤットコ２００の工具把持部２０１の可動部２０３を矢印２０１ａ側に回動させる。この回動により、トリガー５１が矢印５１ａ側に回動される。押圧棒送り板７１の下端部が、トリガー５１の突起６２により押圧されて、押圧棒６１に対し垂直状態から係合する状態になり、ついには、その押圧棒６１をばね７１ａに抗して所要の距離だけ前進させることができる。このため、ノズルＣ２から鳥害忌避剤が注出される。
【００４０】
ここで、押圧棒６１を所要ストローク前進させたところで、可動部２０３の回動操作を中止すると、ばね７１ａの弾発力により、押圧棒送り板７１及びトリガー５１は元の位置に戻る。しかし、ストッパー８１が、押圧棒６１に嵌合孔８１ｂを係合状態にしているので、押圧棒６１は後退することなく、上記前進位置を保持する。
【００４１】
以上のように、ガン把持部は、固定部の先端と嵌合可能な固定部開口部を有し、トリガーは、可動部の先端と嵌合可能な可動部開口部を有するので、鳥類忌避剤注出用ガンは、固定部及び可動部を有する略Ｃ字状の工具把持部を備えた棒状の間接活線工具によって、容易に把持することが可能である。また、可動部を回動することによってトリガーが回動されて、押圧棒が進行してカートリッジの底部が押圧されるので、鳥類忌避剤を注出することを容易に行うことが可能である。すなわち、間接活線工具を操作して鳥類忌避剤を注出する動作を容易に行うことが可能である。
【００４２】
なお、本発明における鳥類忌避剤注出用ガン１０は、ヤットコ２００の使用により、トリガー５１が回動されたときに押圧棒６１が前進して押圧板Ｃ１を押圧する構造となっていれば、本実施形態のような構造に限定しなくてもよい。
【図面の簡単な説明】
【００４３】
【図１】本発明における鳥類忌避剤注出用ガンを示す正面図である。
【図２】本発明における鳥類忌避剤注出用ガンを使用して電柱の腕金に薬剤を注出する方法を説明する図である。
【図３】従来のコーキングガンを示す正面図である。
【符号の説明】
【００４４】
１０    鳥類忌避剤注出用ガン
２１    カートリッジホルダー
３１    枠体部
４１    ガン把持部
４５    固定部開口部
５１    トリガー
５３    軸支ピン
５５    可動部開口部
８１    ストッパー
９１    絶縁性カバー
１０１    紐状部材
２００    ヤットコ
２０１    工具把持部
２０３    可動部
２０５    固定部
３０１    コーキングガン
３１１    カートリッジホルダー
Ｃ    カートリッジ
Ｃ１    押圧板
Ｃ２    ノズル
【図１】
2008148390.tif 000003
【図２】
2008148390.tif 000004
【図３】
2008148390.tif 000005